(57)【要約】【課題】昇降路への水回りと、出火階の防火戸を早く閉じ、最上階を水放水で冷やし、防火壁閉灯、防火戸閉灯、水放水灯、火災鎮火灯で火災状況を知らせる昇降路火災警報盤を昇降路外に設けた昇降路火災警報装置。【解決手段】火災時、各階への水回りを満たす時間を５分以内とし、５分後に、最上階に冷気を充満させ延焼を防止したことを水放水灯を点灯して認知できる。１階出火時、防火壁ダイヤルで防火壁と防火戸の転倒を制御し、安全回路で防火壁閉灯と防火戸閉灯の点灯で閉じを視認でき、出火階１階を防火戸で閉鎖、順に２、３階と閉鎖。次に、１階の水放水制御装置が最初に動作し水放水ノズルより噴霧状の水を放出、順次２、３階を放水し、赤外線検出器で赤外線を検出しなくなって５分後に火災鎮火制御装置が動作し、水放水ノズルの放水を止め１階の放水灯消灯、火災鎮火灯点灯、順に最上階まで点灯し火災鎮火を警報盤により解るようした昇降路火災警報装置。【選択図】  図１１
2005170530.tif 000002
【特許請求の範囲】
【請求項１】
火災時、上動して乗りかごが最上階停止時、スイツチ１８がカム４３の当接により接点１８aが閉じたものに、電磁弁１５は作動して、消火栓３０からの水を、電磁弁１５から水放水ノズル２５の電磁弁４２までの、１階から５階までの配水管３９を満たす満水時間を５分以内とし、昇降路火災警報盤４０の水放水ダイヤル４８は、５分計に設定され、５分後に、４，５階の水放水制御装置２６は動作して、電磁弁４２は作動、水放水ノズル２５より噴霧状の水の放出が可能にし、４，５階の水放水灯３７が点灯、この場合、火災を知らせる昇降路火災警報盤４０の赤色灯５０が点灯、火報ブザ−５１が発報し、スイツチ釦（b設点ロツク式）５２を押せば消灯、消音できる停止手段を有し、昇降路火災警報盤４０で１，２，３階の防火壁ダイヤル４６で、２、５，１０分計と設定して、１階の防火壁制御装置２３は２分後に動作し、電磁石２a−６aを起動させ、防火壁２−６を転倒させ、安全回路のスイツチ２b−６bが閉じ、第２の防火壁制御装置２３が１分後に動作し、電磁石７a−１２a を起動させ、防火壁７−１２を転倒させ、安全回路のスイツチ７b−１２bが閉じ、同時に防火壁閉灯３５が点灯、防火戸ダイヤルで１分計と設定され、１分後に防火戸制御装置２４が動作し、電磁石１ａを起動させ、１階の防火戸１を転倒させ、安全回路のスイツチ１ｂが閉じ、１階の防火戸閉灯３６が点灯し、この場合閉じた防火壁の防火戸受け枠２７、２７上に、当該防火戸１を転倒させて１階の乗りかご昇降路２１を密閉閉鎖し、同様にして２、３階も防火戸１で密閉し、昇降路火災警報盤４０の水放水ダイヤル４８は、１、２，３階とも５分計で設定し、５分後に、先ず１階の水放水制御装置２６は動作し、電磁弁４２が作動し、水放水ノズル２５より噴霧状の水を放出し、火災鎮火制御装置３２が動作しないので電磁弁４２で水放水ノズル２５より噴霧状の水を放出は止むことは無く、２，３階も同じであり、後に昇降路火災警報盤４０の１階から５階の、火災鎮火ダイヤル４９の３０分計の設定され、３０分後に１階から５階の火災鎮火制御装置３２は動作し、動作した赤外線検出器３１が１階の火災の鎮火で、赤外線を検出しなくなつて５分後には、火災鎮火制御装置３２は、水放水制御装置２６を停止させ、電磁弁４２を停止させ、１階の水放水ノズル２５からの水の放出を止め、１階の水放水灯３７を消灯し、１階の火災鎮火灯３８は点灯、遅れて、２階から５階の水放水灯３７が消灯、火災鎮火灯３８を点灯されて成る昇降路火災警報盤４０を有する昇降路火災警報装置。
【発明の詳細な説明】
【技術分野】
【０００１】
本発明は、ビル火災において、乗りかご昇降路に流入した煙が上層階へ拡散することを防止するに好適な昇降路火災警報装置。
【背景技術】
【０００２】
従来、ビル火災時、中間階で風船、エアバツクを膨張させ、昇降路を密閉させる手段の設けたものが提案されているが、昇降路火災の延焼状況、及び何階が火災鎮火したかの状況が、一見して解るようしたものが無かった。
【発明の開示】
【発明が解決しようとする課題】
【０００３】
乗りかご昇降路への水回り、出火階に対する、どの階の防火戸を、早く他階を遅くに転倒閉鎖させるかの、防火戸閉鎖の選択手段が無く、更に防火戸転倒閉鎖後の水放水等、火災鎮火手段が無く、且つ水放水中なのか、火災鎮火等の状況を知らせる昇降路火災警報盤を有する昇降路火災警報装置が無かつた。
【課題を解決するための手段】
【０００４】
本発明は乗りかご昇降路に、起立設けた防火壁を、防火戸を、防火壁、防火戸制御装置を動作させ、防火壁を転倒させ、後に防火戸を転倒させて、乗りかご昇降路を防火戸で密閉閉鎖し、出火階に対する、どの階を早く、他階を遅く防火戸を閉鎖するかの選択肢を、防火壁ダイヤルで行い、乗りかご昇降路の外部に昇降路火災警報盤で、防火壁閉灯、防火戸閉灯、水放水灯、火災鎮火灯等を、各階を表示し、出火、鎮火状況を一見して解るようして、早く閉鎖したい階の防火戸を防火壁ダイヤルで時間設定により選択できるようした昇降路火災警報盤を有する昇降路火災警報装置である。
【発明の効果】
【０００５】
昇降路火災警報盤の水放水ダイヤルを、５分計に設定して、火災時には、消火栓から電磁弁を通し、乗りかご昇降路の１階から５階に設けた電磁弁までの配水管に水を満たす時間を５分以内にし、５分後に水放水制御装置を動作させ、水放水ノズルから噴霧状の水を放出可能にし、噴霧状の冷気を充満させ、４、５階への延焼を防止させ、４，５階の水放水灯が点灯し、同時に、赤色灯を点灯し、火報ブザ−を発報されて、火災を知らされた防災担当者がスイツチ釦（ｂ設点ロツク式）を押せば、消音、消灯でき、防災に専念できる。
【０００６】
１階出火時、昇降路火災警報盤４０の防火壁ダイヤルの１，２，３階を、２，５、１０分計と設定して、先ず１階が２分後に防火壁制御装置（第２も）を動作させ、電磁石を起動させ、防火壁が転倒、防火戸制御装置の動作で、当該防火戸受け枠上に防火戸を転倒閉鎖させ、乗りかご昇降路の１階を密閉、次に２，３階を密閉でき、１階出火階への鎮火手段を早く選択でき、効果的で、防火壁閉灯、防火戸閉灯の１，２，３階点灯で視認でき、第２防火壁と防火戸ダイヤルを１分計で時間設定して、防火壁と防火戸の、各階の転倒時の轟音を和らげるものであり、且つスイツチの安全回路により、防火壁と防火戸の転倒閉鎖を異常無きを確認でき、水放水ダイヤルで５分後に水放水制御装置の動作で、電磁弁が作動、水放水ノズルより放水し、全階水放水灯が点灯で、鎮火への放水中と視認でき、火災鎮火ダイヤルで、３０分後に１階から５階の火災鎮火制御装置が動作し、赤外線検出器で赤外線を検出し、１階の火災鎮火で、赤外線検出器が赤外線を検出しなくなつて５分後には、１階の火災鎮火制御装置が動作し、水放水制御装置を停止、電磁弁を停止、水放水ノズルの放水を止め、１階水放水灯を消灯し、１階火災鎮火灯が点灯、後に２階から５階の火災鎮火灯まで点灯、全階火災鎮火したのを昇降路外の昇降路火災警報盤により解るようした昇降路火災警報装置である。
【発明を実施するための最良の形態】
【０００７】
昇降路火災警報盤の水放水ダイヤルを、５分計に設定し、火災時、電磁弁が作動し、消火栓、電磁弁を通し、各階に設けた水放水ノズルの電磁弁まで配管した配水管まで水を満たす時間を５分以内とし、５分後に水放水制御装置を動作させ、電磁弁を作動させ、水放水ノズルより噴霧状の水を放出可能にし、４、５階を冷気で充満させて延焼を防止、同時に水放水灯が点灯、且つ赤色灯を点灯し、火報ブザ−を発報させ、火災を知らせ、消灯、消音にはスイツチ釦（ｂ接点ロツク式）を押せばよい停止手段を設けやものである。
【０００８】
当該昇降路火災警報盤で、１階で出火時、防火壁ダイヤルの１、２、３階を２、５、１０分計に設定することで、先ず１階の防火壁制御装置（第２も）を動作させ、電磁石を起動させ、防火壁が転倒、防火戸制御装置の動作で、その防火戸受け枠上に防火戸を転倒閉鎖させ、乗りかご昇降路の１階を密閉、次に２，３階を密閉でき出火階へ、早く鎮火手段を選択でき、効果的であり、防火壁閉灯、防火戸閉灯の点灯、１，２，３階全点灯で、全階を防火戸で密閉閉鎖したとの視認出来、次に、水放水ダイヤルで時間設定で、水放水制御装置の動作し、電磁弁が作動し、水放水ノズルより噴霧状の水を放出し、全階で水放水灯が点灯し、火災鎮火への噴霧状の放水中と視認でき、火災鎮火ダイヤルの時間設定の、３０分後に、１階から５階の火災鎮火制御装置が動作し、動作した赤外線検出器で赤外線を検出し、１階の火災鎮火で、赤外線を検出しなくなつて５分後、１階の火災鎮火制御装置が動作し、水放水制御装置を停止させ、電磁弁を停止させ、水放水ノズルの放水を止め、１階の水放水灯を消灯し、１階の火災鎮火灯が点灯、後に、２階から５階の火災鎮火灯が点灯、全階火災鎮火したことを昇降路外の昇降路火災警報盤により解るようにした昇降路火災警報装置である。
【実施例】
【０００９】
実施例を図１，２で説明すると、火災時、乗りかご２２は最上階に、つり合いおもり１３は最下階に位置し、図３にて、乗りかご昇降路２１から、つり合いおもり１３を分けて、乗りかご昇降路２１の１，２，３階に、防火戸１を設けるようしたものである。
【００１０】
図８、１３において、１，２，３，４，５階、それぞれに電磁弁４２を有する水放水ノズル２５と、赤外線検出器３１を設け、昇降路壁に穴開け、埋設せしめ、昇降路火災警報盤４０、設けられた消火栓３０の間に電磁弁１５を設置し、配水管３９で、配管して当該電磁弁４２と水放水ノズル２５を１階から５階と各階に設け、同じく昇降路火災警報盤４０から、赤外線検出器３１へと電設配線により１階から５階迄、各階に赤外線検出器３１を設けている。
【００１１】
図５，７から説明する防火壁３，４，８，９は、各々蝶番２８で枢着転倒自在で、自重で倒れ、９０゜閉動作可能で、起立状態に電磁石３a,４a,８a,９a,の突出したロツドで保持され、当該電磁石３a,４a,８a,９a,の起動によりロツドが引っ込むことで転倒し、レ−ル１４回りを密閉封鎖、転倒したことを確認するためにスイツチ３b,４b,８b,９b,のそれぞれは、レ−ル１４，１４に当接することで転倒確認をするようになつており、図４，８にて左右両側、前方の防火壁２，５，６，７，１０，１１，１２は、両側端を回転軸３４，３４で転倒自在に枢着され、９０゜閉動作可能で、起立状態に電磁石２a,５a,６a,７a,１０a,１１a,１２a,の突出したロツドで保持され、当該電磁石２a,５a,６a,７a,１０a,１１a,１２a起動によりロツドが引っ込むことで転倒し、当該防火壁に各々に取着したカム４３、４３が、スイツチ２b,５b,６b,７b,１０b,１１b,１２b,に当接して転倒したとの安全確認をするようにし、乗りかご昇降路２１に常時は起立開放させた各々の防火壁を、図３の如く防火壁２,３,４,５,６,７,８,９,１０,１１,１２ を転倒させ、当該防火壁の先端に枢着した防火戸受け枠２７、２７も共に転倒し、防火壁先端の防火戸受け枠２７を、図６で示すように、レ−ル１４，１４間隔のレ−ルゲ−ジ幅に合わせ閉鎖するようにしている。
【００１２】
図８にて防火戸１の両側端に回転軸３４，３４を突設し、防火戸枠４５に設けた軸受けに軸支され、図に示す位置から９０°転倒可能に、防火戸枠４５上に、起立状態に電磁石１a の突出したロツドで保持され、当該電磁石１a の起動によりロツドは引っ込むことで防火戸１は自重により転倒し、当該防火戸受け枠２７，２７上転倒して、レ−ル１４、１４間隔のレ−ルゲ−ジの幅で転倒する防火戸１を受けることで乗りかご昇降路２１を一枚の防火戸１で閉鎖可能にし、乗りかご昇降路２１の各階を密閉閉鎖するものである。
【００１３】
図４で解るように、転倒閉鎖状態の防火戸１に設けたカム４３がスイツチ１ｂに当接することにより、スイツチ１ｂが閉じ、防火戸１が転倒したとの安全確認ができ、防火戸１の先端中央部には施錠装置の一部である鍵部３３が突接してあり、当該鍵部３３は、防火戸１を閉鎖したときには、前方の防火壁６先端の防火戸受け枠２７の先端中央部に鍵受部が設けてあり、当該防火戸１が閉鎖時には鍵受部と嵌合するようにしてある。
【００１４】
レ−ル１４，１４間隔にした、当該防火戸１と防火戸受け枠２７，２７上で受けて密閉閉鎖させ、乗りかご昇降路２１を一枚の防火戸１で閉鎖可能にして、乗りかご昇降路２１を閉鎖し、乗りかご昇降路２１の各階を閉鎖するものである。
【００１５】
図９について、昇降路外に設けた昇降路火災警報盤４０、４０には、赤色灯５０と、火報ブザ−５１を、スイツチ釦５２（ｂ設点、ロツク式）結線して火災を知らせる回路を設けている。
【００１６】
水放水ダイヤル４８は、５分計が設定がされて、火災時、電磁弁１５が作動して、昇降路外にある水道元栓、消火栓３０、電磁弁１５からの水を、水放水ノズル２５の電磁弁４２までの、１階から５階までの配水管３９を満たす満水時間を５分以内にし、５分後に、４，５階の水放水制御装置２６は動作し、電磁弁４２が作動、水放水ノズル２５より放水可能で、４，５階の水放水灯３７が点灯、後に１階から３階まで点灯して、水放水中で火災鎮火ダイヤル４９は３０分計に設定され、３０分後には、１階から５階の火災鎮火制御装置３２が動作し、赤外線検出器３１が１階の火災の鎮火で、赤外線を検出しなくなつて５分後には、１階の火災鎮火制御装置３２は動作して、水放水制御装置２６を停止させ、電磁弁４２を停止させ、１階の水放水ノズル２５からの放水を止め、１階の水放水灯３７を消灯、１階の火災鎮火灯３８を点灯させるもので、遅れて２階から５階までの水放水灯３７が消灯、火災鎮火灯３８を点灯させる如くしたものである。
【００１７】
図１０において、今火災が発生し、乗りかご昇降路２１に煙が流入すると共に乗場出入口の上部に設けた煙感知器１６が作動し、接点１６ａが閉じ、リレ−１７が付勢され、接点１７ａが閉じ、火災感知制御装置２９が動作、乗りかご２２は図１，２に示すように最上階の５階に向かって運転し休止する、スイツチ１８がカム４３に当接し、そこで接点１８ａが閉じるので、防火壁制御装置２３は防火壁ダイヤル４６で２分計の時間設定されてあり、２分後に当該防火壁制御装置２３は動作し、順次動作するように制御された電磁石２a,３a,４a,５a,６a  を順次起動させ、左方の防火壁は自重で転倒閉鎖し、それでスイツチ２b,３b,４b,５b,６bが閉じることで、防火壁が転倒したことを確認し、第２の防火壁制御装置２３が動作し、順次動作するように電磁石７a,８a,９a,１０a,１１a,１２を順次起動させ、電磁石のロツドで起立保持されていて、支えを無くした右方の防火壁は、自重で転倒閉鎖するものであるが、第２の防火壁制御装置を設けたのは、複数個の防火壁の転倒時の衝撃音を和らげるためであり、従って、転倒した防火壁で、スイツチ７b,８b,９b,.１０b,,１１b,,１２b が閉じることで、防火壁が転倒したことの安全確認し、このように左右前方の防火壁の転倒閉鎖したかを安全回路を設けており、そこで防火壁閉灯が点灯し、防火戸制御回路２４は防火戸ダイヤルで１分計の時間設定がされてあり、１分後に当該防火戸制御装置２４は動作し、電磁石１ａを起動、電磁石１ａに起立保持された防火戸１は、支えが無くなり、自重により転倒、当該防火壁の防火戸受け枠２７，２７上に転倒、スイツチ１ｂが閉じ、防火戸閉灯３６が点灯、１階の防火戸１が閉じたと視認できる。
【００１８】
図１１において、火災感知制御装置２９が動作し、スイツチ１８がカム４３に当接して、接点１８ａが閉じるものに、電磁弁１５が作動し、消火栓３０からの水を、電磁弁１５から水放水ノズル２５の電磁弁４２までの、１階から５階までの、配水管３９を満たす満水時間を５分以内とし、水放水ダイヤルが５分計の設定をさせてあり、５分後に、４，５階の水放水制御装置２６が動作し、電磁弁４２を作動させ水放水ノズル２５より噴霧状の水を放出可能にし、この場合、４，５階の水放水灯３７が点灯し、しかして火災鎮火制御装置３２は、火災鎮火ダイヤル４９で、３０分計の設定がされ、３０分後に、４，５階の火災鎮火制御装置３２は動作し、赤外線検出器３１が火災の鎮火を、赤外線を検出しなくなつて５分後には、火災鎮火制御装置３２を動作させ、４，５階の水放水制御装置２６を停止させ、電磁弁４２を停止させて、水放水ノズル２５からの放水を止め、同時に、４，５階の水放水灯３７を消灯し、しかして火災鎮火灯３８を点灯させ、４，５階の火災が鎮火したことを昇降路火災警報盤４０で知らせる如くしてある。
【００１９】
当該接点１８ａが閉じ、各階の防火壁制御装置２３は、防火壁ダイヤルで３階は１０分計、２階は５分計、そして１階は２分計と設定され、この場合、１０分後に３階、５分後に２階が、２分後には１階と、各階の防火壁制御装置２３が動作し始めるもので、時間設定だけが違うので、最初の２分後に１階の動作するものを説明し、２，３階のものについては同じなので省略し、２分後には、１階の防火壁制御装置２３は動作し、電磁石２ａ−６ａと順々に起動させ、防火壁２−６を転倒、安全回路のスイツチ２ｂ−６ｂで確認、第２の防火壁制御装置を動作させ、電磁石７ａ−１２ａと順々に起動させ、防火壁７−１２を転倒したことを安全回路のスイツチ７ｂ−１２ｂで確認、、防火壁の転倒時の衝撃音を和らげるために第２の防火壁制御装置２３を設けている。
【００２０】
当該防火壁の転倒でスイツチ１２ｂが閉じ、１階の防火壁閉灯３５が点灯し、防火戸ダイヤルで１分計を設定して、１分後に防火戸制御装置２４は動作し、電磁石１ａの起動により、支えを無くし、自重により防火戸１は転倒、安全回路のスイツチ１ｂが閉じ、防火戸閉灯３６が点灯、図６で解るように、転倒した防火壁の先端に枢着した防火戸受け枠２７、２７上にレ−ル間隔の防火戸１を転倒、レ−ルゲ−ジ幅で合わせ乗りかご昇降路の、各階を閉鎖するものである。
【００２１】
水放水ダイヤル４８が５分計の時間設定がされてあり、５分後に、１階が、遅れて２，３階の水放水制御装置２６が動作し、電磁弁４２が作動し、水放水ノズル２５より放水し、１階が、遅れて２，３階の水放水灯３７が点灯し、赤外線検出器３１で火災が鎮火して、赤外線を検出しなくなるまで、火災鎮火制御装置３２は動作せず、電磁弁４２による水放水ノズルよりの放水は止むことは無く、火災鎮火ダイヤル４９で３０分計の設定され、３０分後に、順に、４，５階、そして１，２，３階の火災鎮火制御装置３２は動作し、赤外線検出器３１が火災の鎮火で、１階の赤外線を検出しなくなつて５分後には、１階の火災鎮火制御装置３２を動作させ、水放水制御装置２６を停止させ、電磁弁４２を停止させて、１階の水放水ノズル２５からの水の放水を止め、同時に、１階の水放水灯３７を消灯し、火災鎮火灯３８を点灯させ、１階の火災の鎮火、後に２階から５階の、火災鎮火灯３８も点灯、昇降路火災警報盤４０で、全階の火災鎮火を認知できる昇降路火災警報装置である。
【図面の簡単な説明】
【００２２】
【図１】本発明になる昇降路正面図である。
【図２】本発明になる昇降路側面図である。
【図３】本発明になる昇降路内防火壁防火戸受け枠転倒閉鎖平面説明図である。
【図４】本発明になる防火戸閉じ状態の昇降路内断面詳細説明図である。
【図５】本発明になるつり合いおもり側防火壁閉状態昇降路詳細説明図である。
【図６】本発明になるレ−ル間隔の防火戸の閉鎖状態の昇降路平面図である。
【図７】本発明になる防火壁閉状態の昇降路内平面詳細説明図である。
【図８】本発明になる１階の電磁石による防火戸、防火壁の開放状態を示し、赤外線検出器、水放水ノズルの詳細説明図である。
【図９】本発明になるつり合いおもり昇降路と建物外部に設けた昇降路火災警報盤との関連詳細説明図である。
【図１０】本発明になる防火壁、防火戸制御回路および防火壁閉灯、防火戸閉灯制御回路の一階床分用回路詳細説明図である
【図１１】本発明になる防火壁、防火戸制御装置および水放水制御装置、火災鎮火制御装置の全階床を示す回路詳細説明図である。
【図１２】本発明になる防火壁閉灯、防火戸閉灯、水放水灯、火災鎮火灯の昇降路火災警報盤内電気回路図である。
【図１３】本発明になる水放水ノズルと電磁弁、赤外線検出器の昇降路取り付け関係と、その配管、配線詳細説明図である。
【符号の説明】
【００２３】
１    防火戸
２,３,４,５,６,７,８,９,１０,１１,１２                    防火壁
１a,２a,３a,４a,５a,６a,７a,８a,９a,１０a,１１a,１２a    電磁石
１a,２b,３b,４b,５b,６b,７b,８b,９b,１０b,１１b,１２b    スイツチ
１３    つり合いおもり              １４      レール
１５    電磁弁                      １６      煙感知器
１６a,１７a,１８a,    接点          １７      リレ−
１８    スイツチ                    １９      つり合いおもり昇降路
２０    調速器昇降路                ２１      乗りかご昇降路
２２    乗りかご                    ２３      防火壁制御装置
２４    防火戸制御装置              ２５      水放水ノズル
２６    水放水制御装置              ２７      防火戸受け枠
２８    蝶番                        ２９      火災感知制御装置
３０    消火栓                      ３１    赤外線検出器
３２    火災鎮火制御装置            ３３      鍵部
３４    回転軸                      ３５      防火壁閉灯
３６    防火戸閉灯                  ３７      水放水灯
３８    火災鎮火灯                  ３９      配水管
４０    昇降路火災警報盤            ４１      鍵受部
４２    電磁弁                      ４３      カム
４４    防火壁枠                    ４５      防火戸枠
４６    防火壁ダイヤル              ４７      防火戸ダイヤル
４８    水放水ダイヤル              ４９      火災鎮火ダイヤル
５０    赤色灯                      ５１      火報ブザ−
５２    スイツチ釦（ｂ接点ロツク式）
【図１】
2005170530.tif 000003
【図２】
2005170530.tif 000004
【図３】
2005170530.tif 000005
【図４】
2005170530.tif 000006
【図５】
2005170530.tif 000007
【図６】
2005170530.tif 000008
【図７】
2005170530.tif 000009
【図８】
2005170530.tif 000010
【図９】
2005170530.tif 000011
【図１０】
2005170530.tif 000012
【図１１】
2005170530.tif 000013
【図１２】
2005170530.tif 000014
【図１３】
2005170530.tif 000015